(57)【要約】  本発明の実施形態は、通信技術の分野に関し、ネットワークアクセス方法、装置、及びシステムを開示する。上記方法は、モバイルワイヤレス相互接続装置により、第１チャネルと第２チャネルとの間に干渉が存在するか否かを検出するステップであって、第１チャネルがモバイルワイヤレス相互接続装置と端末局との間にあり、第２チャネルがモバイルワイヤレス相互接続装置とホットスポットアクセス装置との間にある、ステップと、干渉が存在する場合、モバイルワイヤレス相互接続装置により、第１チャネルと第２チャネルとの間に干渉が存在しなくなって、端末局がモバイルワイヤレス相互接続装置及びホットスポットアクセス装置を使用してインターネットにアクセスするよう、モバイルワイヤレス相互接続装置自身の送信出力を減少させるステップとを有する。それにより、チャネル切替えに起因するネットワーク中断を回避し、ユーザ体験をより良いものとする。
2015526995.tif 000002
【特許請求の範囲】
【請求項１】
モバイルワイヤレス相互接続装置により、第１チャネルと第２チャネルとの間に干渉が存在するか否かを検出するステップであって、前記第１チャネルが前記モバイルワイヤレス相互接続装置と端末局との間のチャネルであり、前記第２チャネルが前記モバイルワイヤレス相互接続装置とホットスポットアクセス装置との間のチャネルである、ステップと、
干渉が存在する場合、前記モバイルワイヤレス相互接続装置により、前記第１チャネルと前記第２チャネルとの間に干渉が存在しなくなって、前記端末局が前記モバイルワイヤレス相互接続装置及び前記ホットスポットアクセス装置を使用してインターネットにアクセスするよう、前記モバイルワイヤレス相互接続装置自身の送信出力を減少させるステップと
を有することを特徴とするネットワークアクセス方法。
【請求項２】
前記モバイルワイヤレス相互接続装置により、前記第１チャネルと前記第２チャネルとの間に干渉が存在しなくなるよう、前記モバイルワイヤレス相互接続装置自身の送信出力を減少させるステップが、
前記モバイルワイヤレス相互接続装置により、前記第１チャネルと前記第２チャネルとの間に干渉が存在しなくなるまで、前記モバイルワイヤレス相互接続装置自身の前記送信出力を段階的に減少させて、前記モバイルワイヤレス相互接続装置自身の前記送信出力を減少させる度に、前記第１チャネルと前記第２チャネルとの間に干渉が存在するか否かを検出するステップ、又は、
所定の値に従う前記モバイルワイヤレス相互接続装置により、前記第１チャネルと前記第２チャネルとの間に干渉が存在しなくなるよう、前記モバイルワイヤレス相互接続装置自身の前記送信出力を前記所定の値だけ減少させるステップ
を含むことを特徴とする請求項１に記載のネットワークアクセス方法。
【請求項３】
モバイルワイヤレス相互接続装置により、第１チャネルと第２チャネルとの間に干渉が存在するか否かを検出するステップであって、前記第１チャネルが前記モバイルワイヤレス相互接続装置と端末局との間のチャネルであり、前記第２チャネルが前記モバイルワイヤレス相互接続装置とホットスポットアクセス装置との間のチャネルである、ステップが、
前記モバイルワイヤレス相互接続装置により、前記第１チャネルと前記第２チャネルとの間の信号強度対干渉プラス雑音比が所定のしきい値以下であるか否かを検出するステップと、
前記第１チャネルと前記第２チャネルとの間の前記信号強度対干渉プラス雑音比が前記所定のしきい値以下である場合、前記モバイルワイヤレス相互接続装置により、前記第１チャネルと前記第２チャネルとの間に干渉が存在すると決定するステップと
を含むことを特徴とする請求項１又は２に記載のネットワークアクセス方法。
【請求項４】
前記モバイルワイヤレス相互接続装置により、前記モバイルワイヤレス相互接続装置自身の送信出力を減少させるステップの前又は後に、前記第１チャネルと前記第２チャネルとの間に干渉が存在しない場合に、
前記端末局と前記ホットスポットアクセス装置とが同一の周波数帯で動作する場合、前記モバイルワイヤレス相互接続装置により、前記端末局が前記モバイルワイヤレス相互接続装置及び前記ホットスポットアクセス装置を使用してインターネットにアクセスするよう、時間分割多元化によって周波数内デュアルチャネルモードでの動作を保持するステップと、
前記端末局と前記ホットスポットアクセス装置とが異なる周波数帯で動作する場合、前記モバイルワイヤレス相互接続装置により、前記端末局が前記モバイルワイヤレス相互接続装置及び前記ホットスポットアクセス装置を使用してインターネットにアクセスするよう、時間分割多元化によって周波数間デュアルチャネルモードでの動作を保持するステップと
をさらに有することを特徴とする請求項１ないし３のいずれか１項に記載のネットワークアクセス方法。
【請求項５】
モバイルワイヤレス相互接続装置により、第１チャネルと第２チャネルとの間に干渉が存在するか否かを検出するステップであって、前記第１チャネルが前記モバイルワイヤレス相互接続装置と端末局との間のチャネルであり、前記第２チャネルが前記モバイルワイヤレス相互接続装置とホットスポットアクセス装置との間のチャネルである、ステップの前に、
前記モバイルワイヤレス相互接続装置により、前記第１チャネルを使用して前記端末局との接続を確立し、前記第２チャネルを使用して前記ホットスポットアクセス装置との接続を確立するステップ
をさらに有することを特徴とする請求項１ないし４のいずれか１項に記載のネットワークアクセス方法。
【請求項６】
前記モバイルワイヤレス相互接続装置により、前記モバイルワイヤレス相互接続装置自身の送信出力を減少させるステップの後に、前記第１チャネルと前記第２チャネルとの間に干渉がまだ存在する場合に、
前記モバイルワイヤレス相互接続装置により、前記モバイルワイヤレス相互接続装置と前記端末局との間の前記第１チャネルを変更するステップ
をさらに有することを特徴とする請求項１ないし５のいずれか１項に記載のネットワークアクセス方法。
【請求項７】
モバイルワイヤレス相互接続装置であって、
検出モジュールと、
アクセスモジュールと
を具備し、
前記検出モジュールは、第１チャネルと第２チャネルとの間に干渉が存在するか否かを検出するように構成され、
前記第１チャネルは、前記モバイルワイヤレス相互接続装置と端末局との間のチャネルであり、
前記第２チャネルは、前記モバイルワイヤレス相互接続装置とホットスポットアクセス装置との間のチャネルであり、
前記アクセスモジュールは、前記検出モジュールによって前記第１チャネルと前記第２チャネルとの間に干渉が存在することが検出された場合、前記第１チャネルと前記第２チャネルとの間に干渉が存在しなくなって、前記端末局が前記モバイルワイヤレス相互接続装置及び前記ホットスポットアクセス装置を使用してインターネットにアクセスするよう、前記モバイルワイヤレス相互接続装置自身の送信出力を減少させるように構成されることを特徴とするモバイルワイヤレス相互接続装置。
【請求項８】
前記アクセスモジュールが、第１ユニットを具備し、
前記第１ユニットは、
前記第１チャネルと前記第２チャネルとの間に干渉が存在しなくなるまで、前記モバイルワイヤレス相互接続装置自身の前記送信出力を段階的に減少させて、前記モバイルワイヤレス相互接続装置自身の前記送信出力を減少させる度に、前記第１チャネルと前記第２チャネルとの間に干渉が存在するか否かを検出するように前記検出モジュールに命令するか、又は、
前記第１チャネルと前記第２チャネルとの間に干渉が存在しなくなるよう、所定の値に従って、前記モバイルワイヤレス相互接続装置の前記送信出力を前記所定の値だけ減少させる
ように構成されることを特徴とする請求項７に記載のモバイルワイヤレス相互接続装置。
【請求項９】
前記検出モジュールが、
前記第１チャネルと前記第２チャネルとの間の信号強度対干渉プラス雑音比が所定のしきい値以下であるか否かを検出するように構成された第１サブモジュールと、
前記第１サブモジュールによって前記信号強度対干渉プラス雑音比が前記所定のしきい値を超えることが検出された場合、前記第１チャネルと前記第２チャネルとの間に干渉が存在すると決定するように構成された第２サブモジュールと
を具備することを特徴とする請求項７又は８に記載のモバイルワイヤレス相互接続装置。
【請求項１０】
前記アクセスモジュールが、
前記アクセスモジュールによって前記モバイルワイヤレス相互接続装置自身の前記送信出力が減少させられる前又は後に、前記検出モジュールによって前記第１チャネルと前記第２チャネルとの間に干渉が存在しないことが検出され、かつ前記端末局と前記ホットスポットアクセス装置とが同一の周波数帯で動作する場合、前記端末局が前記モバイルワイヤレス相互接続装置及び前記ホットスポットアクセス装置を使用してインターネットにアクセスするよう、時間分割多元化によって周波数内デュアルチャネルモードでの動作を保持するように構成された第２ユニットと、
前記アクセスモジュールによって前記モバイルワイヤレス相互接続装置自身の前記送信出力が減少させられる前又は後に、前記検出モジュールによって前記第１チャネルと前記第２チャネルとの間に干渉が存在しないことが検出され、かつ前記端末局と前記ホットスポットアクセス装置とが異なる周波数帯で動作する場合、前記端末局が前記モバイルワイヤレス相互接続装置及び前記ホットスポットアクセス装置を使用してインターネットにアクセスするよう、時間分割多元化によって周波数間デュアルチャネルモードでの動作を保持するように構成された第３ユニットと
を具備することを特徴とする請求項７ないし９のいずれか１項に記載のモバイルワイヤレス相互接続装置。
【請求項１１】
前記第１チャネルを使用して前記端末局との接続を確立し、前記第２チャネルを使用して前記ホットスポットアクセス装置との接続を確立するように構成された接続モジュールをさらに具備することを特徴とする請求項７ないし１０のいずれか１項に記載のモバイルワイヤレス相互接続装置。
【請求項１２】
前記アクセスモジュールによって前記モバイルワイヤレス相互接続装置自身の前記送信出力が減少させられた後に、前記第１チャネルと前記第２チャネルとの間に干渉がまだ存在する場合、前記モバイルワイヤレス相互接続装置と前記端末局との間の前記第１チャネルを変更するように構成されたチャネル切替えモジュールをさらに具備することを特徴とする請求項７ないし１１のいずれか１項に記載のモバイルワイヤレス相互接続装置。
【請求項１３】
ホットスポットアクセス装置と、
端末局と、
請求項７ないし１２のいずれか１項に記載のモバイルワイヤレス相互接続装置と
を具備することを特徴とするネットワークアクセスシステム。
【発明の詳細な説明】
【技術分野】
【０００１】
この出願は、２０１３年６月２７日付けで中国特許庁に出願された「ＮＥＴＷＯＲＫ ＡＣＣＥＳＳ ＭＥＴＨＯＤ，ＤＥＶＩＣＥ，ＡＮＤ ＳＹＳＴＥＭ」と題する中国特許出願第２０１３１０２６１２５９．７号の優先権を主張するものである。引用により、上記中国特許出願の全内容が本出願に援用される。
【０００２】
本発明は、通信技術の分野に関し、詳細には、ネットワークアクセス方法、装置、及びシステムに関する。
【背景技術】
【０００３】
モバイル通信技術の発展に伴い、ユーザは、多様な手段でワイドエリアネットワーク（ＷＡＮ）にアクセスできるようになった。例えば、モバイルワイヤレス相互接続（Ｗｉｒｅｌｅｓｓ Ｆｉｄｅｌｉｔｙ，Ｗｉ−Ｆｉ）装置のＷＡＮポートは、Ｅｔｈｅｒｎｅｔ（登録商標）ポート、Ｗｉ−Ｆｉ端末局（Ｓｔａｔｉｏｎ，ＳＴＡ）ポート、及び３Ｇ／４Ｇ（第３世代／第４世代モバイル遠隔通信技術）ポートを含んでよく、ユーザは、それら３つのポートのうちのいずれか１つを使用してＷＡＮにアクセスできる。しかしながら、ユーザが３Ｇ／４Ｇポートを使用してデータ転送を実行する場合、そのようなデータ転送は、オペレータ（事業者）のネットワークに比較的高い負荷をかけるとともに、比較的高額な料金を発生させることがある。オペレータのネットワークとは異なり、通常、ローカルエリアネットワーク（ＬＡＮ）は、Ｗｉ−Ｆｉネットワークを使用して有線ネットワーク、例えば、光ファイバネットワークにアクセスする。Ｗｉ−Ｆｉネットワークは、性能が高く、かつ料金が安いといった特徴を有する。したがって、２つのネットワークのリソースは、一体となって協調的動作を行い得る。Ｗｉ−Ｆｉネットワークによってカバーされるエリアに入った後は、モバイルＷｉ−Ｆｉ装置は、Ｗｉ−Ｆｉホットスポットを使用してＷｉ−Ｆｉネットワークに自動的にハンドオーバし、Ｗｉ−Ｆｉネットワークを使用してインターネットにアクセスできる。一方、近くのＷｉ−Ｆｉホットスポットを利用できないときだけは、モバイルＷｉ−Ｆｉ装置は、元の３Ｇ／４Ｇネットワークにハンドオーバする。
【０００４】
現在、大多数のモバイルＷｉ−Ｆｉ装置は、Ｗｉ−Ｆｉアップリンク及びダウンリンク機能を実行するためにシングルチップのＷｉ−Ｆｉソリューションを使用し、チャネル追跡ポリシを使用している。Ｗｉ−Ｆｉアップリンクが新たなオペレータのアクセスポイント（ＡＰ）に接続した後、モバイルＷｉ−Ｆｉ装置のＡＰもまた、Ｗｉ−Ｆｉアップリンクチャネルを追跡して、自身のチャネルを切り替える。換言すれば、アップリンクとダウンリンクとは、同一の動作中チャネル上で存続する。したがって、モバイルＷｉ−Ｆｉ装置がチャネルを切り替えるとき、モバイルＷｉ−Ｆｉ装置に接続されたＳＴＡ、例えば、コンピュータ（ＰＣ）のサービスは、ある期間にわたって中断されることがある。
【発明の概要】
【課題を解決するための手段】
【０００５】
本発明の実施態様は、モバイルワイヤレス相互接続装置がチャネルを切り替える際に発生するサービス中断を回避可能な、ネットワークアクセス方法、装置、及びシステムを開示する。
【０００６】
第１態様によれば、ネットワークアクセス方法が提供され、この方法は、
モバイルワイヤレス相互接続装置により、第１チャネルと第２チャネルとの間に干渉が存在するか否かを検出するステップであって、第１チャネルがモバイルワイヤレス相互接続装置と端末局との間のチャネルであり、第２チャネルがモバイルワイヤレス相互接続装置とホットスポットアクセス装置との間のチャネルである、ステップと、
干渉が存在する場合、モバイルワイヤレス相互接続装置により、第１チャネルと第２チャネルとの間に干渉が存在しなくなって、端末局がモバイルワイヤレス相互接続装置及びホットスポットアクセス装置を使用してインターネットにアクセスするよう、モバイルワイヤレス相互接続装置自身の送信出力を減少させるステップとを有する。
【０００７】
第１態様のうちの実施可能な第１実施態様において、モバイルワイヤレス相互接続装置により、第１チャネルと第２チャネルとの間に干渉が存在しなくなるよう、モバイルワイヤレス相互接続装置自身の送信出力を減少させるステップは、
モバイルワイヤレス相互接続装置により、第１チャネルと第２チャネルとの間に干渉が存在しなくなるまで、モバイルワイヤレス相互接続装置自身の送信出力を段階的に減少させて、モバイルワイヤレス相互接続装置自身の送信出力を減少させる度に、第１チャネルと第２チャネルとの間に干渉が存在するか否かを検出するステップ、又は、
所定の値に従うモバイルワイヤレス相互接続装置により、第１チャネルと第２チャネルとの間に干渉が存在しなくなるよう、モバイルワイヤレス相互接続装置自身の送信出力を所定の値だけ減少させるステップを含む。
【０００８】
第１態様又は第１態様のうちの実施可能な第１実施態様を参照する、第１態様のうちの実施可能な第２実施態様において、モバイルワイヤレス相互接続装置により、第１チャネルと第２チャネルとの間に干渉が存在するか否かを検出するステップであって、第１チャネルがモバイルワイヤレス相互接続装置と端末局との間のチャネルであり、第２チャネルがモバイルワイヤレス相互接続装置とホットスポットアクセス装置との間のチャネルである、ステップは、
モバイルワイヤレス相互接続装置により、第１チャネルと第２チャネルとの間の信号強度対干渉プラス雑音比が所定のしきい値以下であるか否かを検出するステップと、
第１チャネルと第２チャネルとの間の信号強度対干渉プラス雑音比が所定のしきい値以下である場合、モバイルワイヤレス相互接続装置により、第１チャネルと第２チャネルとの間に干渉が存在すると決定するステップとを含む。
【０００９】
第１態様又は上記の実施可能な実施態様のうちのいずれか１つを参照する、実施可能な第３実施態様において、モバイルワイヤレス相互接続装置により、モバイルワイヤレス相互接続装置自身の送信出力を減少させるステップの前又は後に、第１チャネルと第２チャネルとの間に干渉が存在しない場合に、上記の方法は、
端末局とホットスポットアクセス装置とが同一の周波数帯で動作する場合、モバイルワイヤレス相互接続装置により、端末局がモバイルワイヤレス相互接続装置及びホットスポットアクセス装置を使用してインターネットにアクセスするよう、時間分割多元化によって周波数内デュアルチャネルモードでの動作を保持するステップと、
端末局とホットスポットアクセス装置とが異なる周波数帯で動作する場合、モバイルワイヤレス相互接続装置により、端末局がモバイルワイヤレス相互接続装置及びホットスポットアクセス装置を使用してインターネットにアクセスするよう、時間分割多元化によって周波数間デュアルチャネルモードでの動作を保持するステップとをさらに有する。
【００１０】
第１態様又は上記の実施可能な実施態様のうちのいずれか１つを参照する、実施可能な第４実施態様において、モバイルワイヤレス相互接続装置により、第１チャネルと第２チャネルとの間に干渉が存在するか否かを検出するステップであって、第１チャネルがモバイルワイヤレス相互接続装置と端末局との間のチャネルであり、第２チャネルがモバイルワイヤレス相互接続装置とホットスポットアクセス装置との間のチャネルである、ステップの前に、上記の方法は、
モバイルワイヤレス相互接続装置により、第１チャネルを使用して端末局との接続を確立し、第２チャネルを使用してホットスポットアクセス装置との接続を確立するステップをさらに有する。
【００１１】
第１態様又は上記の実施可能な実施態様のうちのいずれか１つを参照する、実施可能な第５実施態様において、モバイルワイヤレス相互接続装置により、モバイルワイヤレス相互接続装置自身の送信出力を減少させるステップの後に、第１チャネルと第２チャネルとの間に干渉がまだ存在する場合に、上記の方法は、
モバイルワイヤレス相互接続装置により、モバイルワイヤレス相互接続装置と端末局との間の第１チャネルを変更する（リスイッチする）ステップをさらに有する。
【００１２】
第２態様によれば、モバイルワイヤレス相互接続装置が提供され、このモバイルワイヤレス相互接続装置は、検出モジュールと、アクセスモジュールとを具備し、ここで、
検出モジュールは、第１チャネルと第２チャネルとの間に干渉が存在するか否かを検出するように構成され、ここで、第１チャネルは、モバイルワイヤレス相互接続装置と端末局との間のチャネルであり、第２チャネルは、モバイルワイヤレス相互接続装置とホットスポットアクセス装置との間のチャネルであり、
アクセスモジュールは、検出モジュールによって第１チャネルと第２チャネルとの間に干渉が存在することが検出された場合、第１チャネルと第２チャネルとの間に干渉が存在しなくなって、端末局がモバイルワイヤレス相互接続装置及びホットスポットアクセス装置を使用してインターネットにアクセスするよう、モバイルワイヤレス相互接続装置自身の送信出力を減少させるように構成される。
【００１３】
第２態様のうちの実施可能な第１実施態様において、アクセスモジュールは、第１ユニットを具備し、この第１ユニットは、
第１チャネルと第２チャネルとの間に干渉が存在しなくなるまで、モバイルワイヤレス相互接続装置自身の送信出力を段階的に減少させて、モバイルワイヤレス相互接続装置自身の送信出力を減少させる度に、第１チャネルと第２チャネルとの間に干渉が存在するか否かを検出するように検出モジュールに命令するか、又は、
第１チャネルと第２チャネルとの間に干渉が存在しなくなるよう、所定の値に従って、モバイルワイヤレス相互接続装置の送信出力を所定の値だけ減少させるように構成される。
【００１４】
第２態様又は上記の実施可能な実施態様のうちのいずれか１つを参照する、実施可能な第２実施態様において、検出モジュールは、
第１チャネルと第２チャネルとの間の信号強度対干渉プラス雑音比が所定のしきい値以下であるか否かを検出するように構成された第１サブモジュールと、
第１サブモジュールによって信号強度対干渉プラス雑音比が所定のしきい値を超えることが検出された場合、第１チャネルと第２チャネルとの間に干渉が存在すると決定するように構成された第２サブモジュールとを具備する。
【００１５】
第２態様又は第２態様の上記の実施可能な実施態様のうちのいずれか１つを参照する、実施可能な第３実施態様において、アクセスモジュールは、
アクセスモジュールによってモバイルワイヤレス相互接続装置自身の送信出力が減少させられる前又は後に、検出モジュールによって第１チャネルと第２チャネルとの間に干渉が存在しないことが検出され、かつ端末局とホットスポットアクセス装置とが同一の周波数帯で動作する場合、端末局がモバイルワイヤレス相互接続装置及びホットスポットアクセス装置を使用してインターネットにアクセスするよう、時間分割多元化によって周波数内デュアルチャネルモードでの動作を保持するように構成された第２ユニットと、
アクセスモジュールによってモバイルワイヤレス相互接続装置自身の送信出力が減少させられる前又は後に、検出モジュールによって第１チャネルと第２チャネルとの間に干渉が存在しないことが検出され、かつ端末局とホットスポットアクセス装置とが異なる周波数帯で動作する場合、端末局がモバイルワイヤレス相互接続装置及びホットスポットアクセス装置を使用してインターネットにアクセスするよう、時間分割多元化によって周波数間デュアルチャネルモードでの動作を保持するように構成された第３ユニットとを具備する。
【００１６】
第２態様又は第２態様の上記の実施可能な実施態様のうちのいずれか１つを参照する、実施可能な第４実施態様において、上記のモバイルワイヤレス相互接続装置は、
第１チャネルを使用して端末局との接続を確立し、第２チャネルを使用してホットスポットアクセス装置との接続を確立するように構成された接続モジュールをさらに具備する。
【００１７】
第２態様又は第２態様の上記の実施可能な実施態様のうちのいずれか１つを参照する、実施可能な第５実施態様において、上記のモバイルワイヤレス相互接続装置は、
アクセスモジュールによってモバイルワイヤレス相互接続装置自身の送信出力が減少させられた後に、第１チャネルと第２チャネルとの間に干渉がまだ存在する場合、モバイルワイヤレス相互接続装置と端末局との間の第１チャネルを変更するように構成されたチャネル切替えモジュールをさらに具備する。
【００１８】
第３態様によれば、ネットワークアクセスシステムが提供され、このネットワークアクセスシステムは、ホットスポットアクセス装置と、端末局と、上記の第２態様に従うモバイルワイヤレス相互接続装置とを具備する。
【発明の効果】
【００１９】
本発明の一実施態様によれば、モバイルワイヤレス相互接続装置は、第１チャネルと第２チャネルとの間に干渉が存在するか否かを検出し得る。ここで、第１チャネルは、モバイルワイヤレス相互接続装置と端末局との間のチャネルであり、第２チャネルは、モバイルワイヤレス相互接続装置とホットスポットアクセス装置との間のチャネルである。干渉が存在することが検出された場合、モバイルワイヤレス相互接続装置は、第１チャネルと第２チャネルとの間に干渉が存在しなくなって、端末局がモバイルワイヤレス適合装置及びホットスポットアクセス装置を使用してインターネットにアクセスするよう、モバイルワイヤレス相互接続装置自身の送信出力を減少させ得る。本発明の一実施態様によれば、モバイルワイヤレス相互接続装置は、自身の動作中チャネルが通信要件を満たさないことを検出したとき、ＳＴＡがモバイルＷｉ−Ｆｉ装置及びホットスポットアクセス装置を使用してインターネットにアクセスするよう、モバイルワイヤレス相互接続装置自身の送信出力を減少できる。それにより、チャネル切替えに起因するネットワーク中断を回避し、ユーザ体験を向上させる。
【００２０】
本発明の実施形態又は従来技術に関して上記の技術的解決策をより明確に説明するために、実施形態の描写に必要な添付の図面を以下で簡単に説明する。当然ながら、以下で説明する添付の図面は、本発明のいくつかの実施形態を示しているに過ぎず、当業者であれば、創造的な労力無しに、これら添付の図面から別の図面を得ることができよう。
【図面の簡単な説明】
【００２１】
【図１】本発明の一実施形態によるモバイルＷｉ−Ｆｉ装置のポートの概略図である。
【図２】本発明の一実施形態による、モバイルＷｉ−Ｆｉ装置とＳＴＡとの間の対話、及び、モバイルＷｉ−Ｆｉ装置とオペレータＡＰとの間の対話の概略図である。
【図３】本発明の一実施形態によるネットワークアクセス方法のフロー図である。
【図４】本発明の一実施形態による別のネットワークアクセス方法のフロー図である。
【図５】本発明の一実施形態によるモバイルＷｉ−Ｆｉ装置の概略的な構成図である。
【図６】本発明の一実施形態による別のモバイルＷｉ−Ｆｉ装置の概略的な構成図である。
【図７】本発明の一実施形態によるさらに別のモバイルＷｉ−Ｆｉ装置の概略的な構成図である。
【発明を実施するための形態】
【００２２】
以下では、本発明の実施形態の添付の図面を参照して、本発明の実施形態の技術的解決策を明瞭的かつ網羅的に記述する。当然ながら、記述される実施形態は、本発明の実施形態のすべてではなく、その一部に過ぎない。当業者が本発明の実施形態に基づいて創造的労力無しに得る他のすべての実施形態は、本発明の保護範囲内にある。
【００２３】
本発明の実施形態は、モバイルワイヤレス相互接続装置がチャネルを切り替える際に発生するサービス中断を回避可能な、ネットワークアクセス方法、装置、及びシステムを開示する。以下、詳細な説明を個々に提供する。本明細書中において、モバイルワイヤレス相互接続装置は、モバイルＷｉ−Ｆｉ装置である。
【００２４】
本発明の実施形態におけるモバイルＷｉ−Ｆｉ装置は、Ｅ５と称されることがある。図１を参照すると、図１は、Ｅ５の複数のポートの概略図である。Ｅ５は、ＷＡＮポートと、ＬＡＮポートとを含み得る。ＷＡＮポートは、Ｅｔｈｅｒｎｅｔポートと、Ｗｉ−Ｆｉ ＳＴＡポートと、セルラーワイヤレス通信ネットワークポートとを含み、特に、一例として、３Ｇ／４Ｇポートとして説明される。ＬＡＮポートは、ユニバーサルシリアルバス（ＵＳＢ）ポートと、Ｗｉ−Ｆｉ ＡＰポートとを含む。ＷＡＮポートは、モバイルＷｉ−Ｆｉ装置がインターネットへのアクセス要求を有する装置として他のアクセスポイントに接続できるようにする。ＬＡＮポートは、モバイルＷｉ−Ｆｉ装置がインターネットへのアクセス要求を有する他の装置にサービスを提供するサービングノードとして動作できるようにする。
【００２５】
Ｅ５は、以下のシナリオに沿って動作し得る。
【００２６】
シナリオ１：Ｅ５は、ＵＳＢポート又はＷｉ−Ｆｉ ＡＰポートを使用して、ユーザに対して、ＷｅｂＮＡＳファイル共有、Ｓａｍｂａ、ＤＬＮＡ（Ｄｉｇｉｔａｌ Ｌｉｖｉｎｇ Ｎｅｔｗｏｒｋ Ａｌｌｉａｎｃｅ）ストリーミングメディア再生及び記録などの、ＬＡＮサービスを提供する。
【００２７】
シナリオ２：Ｅ５は、ＵＳＢポート及びＷＡＮポートを使用して接続されるユーザに対して、インターネットにアクセスするため、インターネットを閲覧するためなどに使用され得るＥｔｈｅｒｎｅｔ、Ｗｉ−Ｆｉ ＳＴＡ、３Ｇ／４ＧポートなどのＷＡＮサービスを提供する。
【００２８】
シナリオ３：シナリオ１及びシナリオ２に関連して、Ｅ５は、ユーザに対して、上記のＷＡＮサービス及びＬＡＮサービスを同時に提供する。
【００２９】
図２を参照すると、シナリオ３において、データトラフィックは、Ｗｉ−Ｆｉネットワークにオフロードされ得る。データトラフィックがＷｉ−Ｆｉネットワークにオフロードされた後、Ｅ５は、まず、Ｗｉ−Ｆｉ ＡＰとして、外部のＰＣ／ｉＰａｄからデータを受信でき、次いで、さらに、Ｗｉ−Ｆｉ ＳＴＡとして、オペレータＡＰにデータを送信できる。また同時に、オペレータＡＰからのデータは、Ｅ５を使用してＰＣ／ｉＰａｄに送信され得る。この場合、Ｅ５の３Ｇ／４Ｇポートは使用されず、これは、オペレータデータネットワークの帯域への負担を軽減する。
【００３０】
図３を参照すると、図３は、本発明の一実施形態によるネットワークアクセス方法のフロー図を示す。図３に示されたように、このネットワークアクセス方法は、以下のステップを含み得る。
【００３１】
ステップＳ３０１：モバイルＷｉ−Ｆｉ装置は、第１チャネルと第２チャネルとの間に干渉が存在するか否かを検出する。ここで、第１チャネルは、モバイルＷｉ−Ｆｉ装置とＳＴＡとの間のチャネルであり、第２チャネルは、モバイルＷｉ−Ｆｉ装置とホットスポットアクセス装置との間のチャネルである。
【００３２】
特に、モバイルＷｉ−Ｆｉ装置は、初期動作チャネル（換言すれば、第１チャネル）を選択して、通常通り動作する。ＳＴＡ（例えば、ＰＣ又はスマートフォン）は、第１チャネルを使用してモバイルＷｉ−Ｆｉ装置に接続する。さらに、モバイルＷｉ−Ｆｉ装置は、ホットスポットアクセス装置を使用したインターネットへのアクセスが確立されるよう、使用可能な第三者ホットスポットアクセス装置（例えば、Ｗｉ−Ｆｉ ＡＰ）を発見するための走査を行って、第２チャネルを使用してホットスポットアクセス装置に接続する。次いで、モバイルＷｉ−Ｆｉ装置は、第１チャネルと第２チャネルとの間に干渉が存在するか否か、換言すれば、第１チャネルと第２チャネルとの間の信号強度対干渉プラス雑音比（ＳＩＮＲ）が所定のしきい値以下であるか否かを検出する。ＳＩＮＲが所定のしきい値以下である場合、モバイルＷｉ−Ｆｉ装置は、第１チャネルと第２チャネルとの間に干渉が存在しないと決定し得る。ＳＩＮＲが所定のしきい値を超える場合、モバイルＷｉ−Ｆｉ装置は、第１チャネルと第２チャネルとの間に干渉が存在すると決定し得る。例えば、所定のしきい値は１である。ＳＩＮＲが１以下であり、例えば、有効な信号が−５０ｄｂであり、かつ干渉プラス雑音が−７０ｄｂである場合、モバイルＷｉ−Ｆｉ装置は、第１チャネルと第２チャネルとの間に干渉が存在しないと決定し得る。ＳＩＮＲが１を超え、例えば、有効な信号が−７０ｄｂであり、かつ干渉プラス雑音が−５０ｄｂである場合、モバイルＷｉ−Ｆｉ装置は、第１チャネルと第２チャネルとの間に干渉が存在すると決定し得る。
【００３３】
ステップＳ３０２：干渉が存在する場合、モバイルＷｉ−Ｆｉ装置は、第１チャネルと第２チャネルとの間に干渉が存在しなくなって、ＳＴＡがモバイルＷｉ−Ｆｉ装置及びホットスポットアクセス装置を使用してインターネットにアクセスするよう、自身の送信出力を減少させる。
【００３４】
特に、ステップＳ３０１での検出結果が第１チャネルと第２チャネルとの間に干渉が存在することを示す場合、モバイルＷｉ−Ｆｉ装置は、自身の送信出力を減少させ得る。モバイルＷｉ−Ｆｉ装置が自身の送信出力を減少させることによって、第１チャネルと第２チャネルとの間のＳＩＮＲの値はより小さくなる。したがって、モバイルＷｉ−Ｆｉ装置が自身の送信出力を減少させた後に、第１チャネルと第２チャネルとの間に干渉が存在しなくなったとき、ＳＴＡは、モバイルＷｉ−Ｆｉ装置及びホットスポットアクセス装置を使用してインターネットにアクセスできる。それにより、モバイルＷｉ−Ｆｉ装置がダウンリンクチャネルを切り替える際に発生するネットワーク中断の期間を回避する。モバイルＷｉ−Ｆｉ装置は、ＳＴＡがモバイルＷｉ−Ｆｉ装置及びホットスポットアクセス装置を使用してインターネットにアクセスするよう、時分割多元化によって第１チャネル及び第２チャネルを保持し得る。ＳＴＡとホットスポットアクセス装置とが同一の周波数帯で動作し、例えば、それら両方が２．４ＧＨｚで動作する場合、モバイルＷｉ−Ｆｉ装置は、ＳＴＡがモバイルＷｉ−Ｆｉ装置及びホットスポットアクセス装置を使用してインターネットにアクセスするよう、時分割多元化によって周波数内デュアルチャネルモード又は周波数内コチャネルモードでの動作を保持する。ＳＴＡとホットスポットアクセス装置とが異なる周波数帯で動作し、例えば、ＳＴＡが２．４ＧＨｚで動作する一方で、ホットスポットアクセス装置が５ＧＨｚで動作する場合、モバイルＷｉ−Ｆｉ装置は、ＳＴＡがモバイルＷｉ−Ｆｉ装置及びホットスポットアクセス装置を使用してインターネットにアクセスするよう、時分割多元化によって周波数間デュアルチャネルモードでの動作を保持する。第１チャネル及び第２チャネルを保持するためにモバイルＷｉ−Ｆｉ装置によって使用される時分割多元化の時分割間隔は、サービス要件、例えば、モバイルＷｉ−Ｆｉ装置が第１チャネルを使用してより長時間にわたってＳＴＡとの通信を維持することに従って設定されてよい。さらに、モバイルＷｉ−Ｆｉ装置は、第１チャネルと第２チャネルとの間に干渉が存在しなくなるまで、自身の送信出力を段階的に減少させて、自身の送信出力を減少させる度に、第１チャネルと第２チャネルとの間に干渉が存在するか否かを検出してよい。あるいは、モバイルＷｉ−Ｆｉ装置は、第１チャネルと第２チャネルとの間に干渉が存在しなくなるよう、所定の値に従って、自身の送信出力を所定の値だけ減少させてもよい。
【００３５】
図３に示されたネットワークアクセス方法においては、モバイルＷｉ−Ｆｉ装置は、自身の動作中チャネルが通信要件を満たさないことを検出したとき、ＳＴＡがモバイルＷｉ−Ｆｉ装置及びホットスポットアクセス装置を使用してインターネットにアクセスするよう、自身の送信出力を減少させて、デュアルチャネルを保持し得る。それにより、ネットワーク接続の中断を回避し、ユーザ体験をより良いものとする。
【００３６】
図４を参照すると、図４は、本発明の一実施形態による別のネットワークアクセス方法のフロー図を示す。図４に示されたように、このネットワーク方法は、以下のステップを含む。
【００３７】
ステップＳ４０１：モバイルＷｉ−Ｆｉ装置は、第１チャネルを使用してＳＴＡとの接続を確立し、第２チャネルを使用してホットスポットアクセス装置との接続を確立する。
【００３８】
特に、モバイルＷｉ−Ｆｉ装置がホットスポットアクセス装置（例えば、Ｗｉ−Ｆｉ ＡＰ）の有効範囲に入ったとき、ＳＴＡは、モバイルＷｉ−Ｆｉ装置及びＷｉ−Ｆｉネットワークを使用してインターネットにアクセスし得る。この場合、モバイルＷｉ−Ｆｉ装置は、第１チャネルを使用してＳＴＡとの接続を確立し、次いで、第２チャネルを使用してホットスポットアクセス装置との接続を確立する。
【００３９】
ステップＳ４０２：モバイルＷｉ−Ｆｉ装置は、第１チャネルと第２チャネルとの間に干渉が存在するか否かを検出する。
【００４０】
特に、モバイルＷｉ−Ｆｉ装置は、第１チャネルと第２チャネルとの間の信号強度対干渉プラス雑音比（ＳＩＮＲ）が所定のしきい値以下であるか否かを検出してよい。ＳＩＮＲが所定のしきい値以下である場合、モバイルＷｉ−Ｆｉ装置は、第１チャネルと第２チャネルとの間に干渉が存在しないと決定し得る。ＳＩＮＲが所定のしきい値を超える場合、モバイルＷｉ−Ｆｉ装置は、第１チャネルと第２チャネルとの間に干渉が存在すると決定し得る。選択的に、所定のしきい値は１である。ＳＩＮＲが１以下であり、例えば、有効な信号が−５０ｄｂであり、かつ干渉プラス雑音が−７０ｄｂである場合、モバイルＷｉ−Ｆｉ装置は、第１チャネルと第２チャネルとの間に干渉が存在しないと決定し得る。ＳＩＮＲが１を超え、例えば、有効な信号が−７０ｄｂであり、かつ干渉プラス雑音が−５０ｄｂである場合、モバイルＷｉ−Ｆｉ装置は、第１チャネルと第２チャネルとの間に干渉が存在すると決定し得る。干渉が検出された場合、このプロセス中のステップＳ４０３に進み、干渉が検出されなかった場合、このプロセス中のステップＳ４０５に進む。
【００４１】
ステップＳ４０３：モバイルＷｉ−Ｆｉ装置は、自身の送信出力を減少させる。
【００４２】
特に、送信出力が減少させられる度合は、モバイルＷｉ−Ｆｉ装置、ＳＴＡ、及びホットスポットアクセス装置の特定の状態に依存してよい。送信出力を減少させる目的は、ＳＩＮＲがしきい値以下となることによって、第１チャネルと第２チャネルとの間に干渉が存在しなくなるよう、モバイルＷｉ−Ｆｉ装置のＳＩＮＲを減少させることである。
【００４３】
モバイルワイヤレス相互接続装置は、第１チャネルと第２チャネルとの間に干渉が存在しなくなるまで、自身の送信出力を段階的に減少させて、自身の送信出力を減少させる度に、第１チャネルと第２チャネルとの間に干渉が存在するか否かを検出してよい。
【００４４】
さらに選択的に、モバイルワイヤレス相互接続装置は、第１チャネルと第２チャネルとの間に干渉が存在しなくなるよう、所定の値に従って、自身の送信出力を所定の値だけ減少させてもよい。
【００４５】
ステップＳ４０４：モバイルＷｉ−Ｆｉ装置は、第１チャネルと第２チャネルとの間に干渉が存在するか否かを検出する。
【００４６】
特に、モバイルＷｉ−Ｆｉ装置が第１チャネルと第２チャネルとの間に干渉が存在するか否かを再度検出するこのステップは、ステップＳ４０２と同様のステップである。干渉が存在しないことが検出された場合、このプロセス中のステップＳ４０５に進み、干渉がまだ検出される場合、このプロセス中のステップＳ４０６に進む。
【００４７】
ステップＳ４０５：モバイルＷｉ−Ｆｉ装置は、ＳＴＡがモバイルＷｉ−Ｆｉ装置及びホットスポットアクセス装置を使用してインターネットにアクセスできるようにする。
【００４８】
特に、モバイルＷｉ−Ｆｉ装置は、ＳＴＡがモバイルＷｉ−Ｆｉ装置及びホットスポットアクセス装置を使用してインターネットにアクセスするよう、時分割多元化によって第１チャネル及び第２チャネルを保持し得る。ＳＴＡとホットスポットアクセス装置とが同一の周波数帯で動作し、例えば、それら両方が２．４ＧＨｚで動作する場合、モバイルＷｉ−Ｆｉ装置は、ＳＴＡがモバイルＷｉ−Ｆｉ装置及びホットスポットアクセス装置を使用してインターネットにアクセスするよう、時分割多元化によって周波数内デュアルチャネルモードでの動作を保持する。ＳＴＡとホットスポットアクセス装置とが異なる周波数帯で動作し、例えば、ＳＴＡが２．４ＧＨｚで動作する一方で、ホットスポットアクセス装置が５ＧＨｚで動作する場合、モバイルＷｉ−Ｆｉ装置は、ＳＴＡがモバイルＷｉ−Ｆｉ装置及びホットスポットアクセス装置を使用してインターネットにアクセスするよう、時分割多元化によって周波数間デュアルチャネルモードでの動作を保持する。さらに、第１チャネル及び第２チャネルを保持するためにモバイルＷｉ−Ｆｉ装置によって使用される時分割多元化の時分割間隔は、サービス要件、例えば、モバイルＷｉ−Ｆｉ装置が第１チャネルを使用してより長時間にわたってＳＴＡとの通信を維持することに従って設定されてよい。
【００４９】
ステップＳ４０６：モバイルＷｉ−Ｆｉ装置及びＳＴＡは、第１チャネルを変更する（リスイッチする）。
【００５０】
特に、モバイルＷｉ−Ｆｉ装置自身の送信出力を減少させた後に、モバイルＷｉ−Ｆｉ装置の動作中チャネルが通信要件をまだ満たすことができないこと、換言すれば、第１チャネルと第２チャネルとの間に干渉がまだ存在することにより、Ｗｉ−Ｆｉ装置は、ＳＴＡがモバイルＷｉ−Ｆｉ装置との新たな接続を開始できるようにし、Ｗｉ−Ｆｉ装置に第１チャネルを変更させる。モバイルＷｉ−Ｆｉ装置は、ステップＳ４０２を再度実行し、第１チャネルと第２チャネルとの間に干渉が存在するか否かを検出して、ＳＴＡがモバイルＷｉ−Ｆｉ装置及びホットスポットアクセス装置を使用してインターネットにアクセスすることを再試行できるようにする。
【００５１】
この実施形態において、モバイルＷｉ−Ｆｉ装置及びＳＴＡが第１チャネルを変更する前に、モバイルＷｉ−Ｆｉ装置が送信出力を減少させる回数は一度だけであるが、さらに、モバイルＷｉ−Ｆｉ装置は、モバイルＷｉ−Ｆｉ装置がＳＴＡ及びホットスポットアクセス装置に接続するための合計時間限界（例えば、３秒）を超えない場合に、第１チャネルと第２チャネルとの間のＳＩＮＲが通信要件を満たすよう、自身の送信出力を複数回減少させる方法を使用してもよい、ということに留意されたい。
【００５２】
図４に示されたデュアルチャネルアクセス方法においては、モバイルＷｉ−Ｆｉ装置は、自身の動作中チャネルが通信要件を満たさないことを検出したとき、ＳＴＡがモバイルＷｉ−Ｆｉ装置及びホットスポットアクセス装置を使用してインターネットにアクセスするよう、自身の送信出力を減少させる。それにより、チャネル切替えに起因するネットワーク中断を回避し、ユーザ体験をより良いものとする。
【００５３】
図５を参照すると、図５は、本発明の一実施形態によるモバイルＷｉ−Ｆｉ装置の概略的な構成図を示す。図１に示されたように、モバイルＷｉ−Ｆｉ装置５０は、検出モジュール５０１と、アクセスモジュール５０２とを備え得る。
【００５４】
検出モジュール５０１は、第１チャネルと第２チャネルとの間に干渉が存在するか否かを検出するように構成される。ここで、第１チャネルは、モバイルＷｉ−Ｆｉ装置５０とＳＴＡとの間のチャネルであり、第２チャネルは、モバイルＷｉ−Ｆｉ装置５０とホットスポットアクセス装置との間のチャネルである。特に、検出モジュール５０１は、第１チャネと第２チャネルとの間のＳＩＮＲを検出することによって、第１チャネルと第２チャネルとの間に干渉が存在するか否かを決定してよい。ＳＩＮＲが所定のしきい値以下である場合、検出モジュール５０１は、第１チャネルと第２チャネルとの間に干渉が存在しないと決定し得る。選択的に、所定のしきい値は１である。ＳＩＮＲが１以下であり、例えば、有効な信号が−５０ｄｂであり、かつ干渉プラス雑音が−７０ｄｂである場合、検出モジュール５０１は、第１チャネルと第２チャネルとの間に干渉が存在しないと決定する。ＳＩＮＲが１を超え、例えば、有効な信号が−７０ｄｂであり、かつ干渉プラス雑音が−５０ｄｂである場合、検出モジュール５０１は、第１チャネルと第２チャネルとの間に干渉が存在すると決定する。
【００５５】
アクセスモジュール５０２は、検出モジュール５０１の検出結果が干渉が存在することを示す場合、第１チャネルと第２チャネルとの間に干渉が存在しなくなって、ＳＴＡがモバイルＷｉ−Ｆｉ装置５０及びホットスポットアクセス装置を使用してインターネットにアクセスするよう、モバイルＷｉ−Ｆｉ装置５０自身の送信出力を減少させるように構成される。Ｗｉ−Ｆｉ装置５０は、ＳＴＡがモバイルＷｉ−Ｆｉ装置５０及びホットスポットアクセス装置を使用してインターネットにアクセスするよう、時分割多元化によって第１チャネル及び第２チャネルを保持してよい。
【００５６】
図５に示されたモバイルＷｉ−Ｆｉ装置は、自身の動作中チャネルが通信要件を満たさないことを検出したとき、ＳＴＡがモバイルＷｉ−Ｆｉ装置及びホットスポットアクセス装置を使用してインターネットにアクセスするよう、自身の送信出力を減少させる。それにより、ネットワーク接続の中断を回避し、ユーザ体験をより良いものとする。
【００５７】
図６を参照すると、図６は、本発明の一実施形態による別のモバイルＷｉ−Ｆｉ装置の概略的な構成図を示す。ここで、図６に示されたモバイルＷｉ−Ｆｉ装置は、図５に示されたモバイルＷｉ−Ｆｉ装置を最適化することによって得られる。図６に示されたモバイルＷｉ−Ｆｉ装置５０において、検出モジュール５０１は、特に、第１サブモジュール５０１１と、第２サブモジュール５０１２とを備え、アクセスモジュール５０２は、特に、第１ユニット５０２１と、第２ユニット５０２２と、第３ユニット５０２３とを備える。図６に示されたモバイルＷｉ−Ｆｉ装置５０は、接続モジュール５０３と、チャネル切替えモジュール５０４とをさらに備える。
【００５８】
第１サブモジュール５０１１は、第１チャネルと第２チャネルとの間の信号強度対干渉プラス雑音比（ＳＩＮＲ）が所定のしきい値以下であるか否かを検出するように構成される。例えば、所定のしきい値は１である。
【００５９】
第２サブモジュール５０１２は、第１サブモジュール５０１１の検出結果がＳＩＮＲが所定のしきい値を超えることを示す場合、第１チャネルと第２チャネルとの間に干渉が存在すると決定し、第１サブモジュール５０１１の検出結果がＳＩＮＲが所定のしきい値以下であることを示す場合、第１チャネルと第２チャネルとの間に干渉が存在しないと決定するように構成される。
【００６０】
さらに、第１ユニット５０２１は、第１チャネルと第２チャネルとの間に干渉が存在しなくなるまで、モバイルＷｉ−Ｆｉ装置５０の送信出力を段階的に減少させて、モバイルＷｉ−Ｆｉ装置５０の送信出力を減少させる度に、第１チャネルと第２チャネルとの間に干渉が存在するか否かを検出するように検出モジュール５０１に命令するように構成される。あるいは、第１ユニット５０２１は、第１チャネルと第２チャネルとの間に干渉が存在しなくなるよう、所定の値に従って、モバイルＷｉ−Ｆｉ装置５０の送信出力を所定の値だけ減少させるように構成される。
【００６１】
第２ユニット５０２２は、アクセスモジュール５０２がモバイルＷｉ−Ｆｉ装置５０の送信出力を減少させる前又は後に、検出モジュール５０１の検出結果が第１チャネルと第２チャネルとの間に干渉が存在しないことを示し、かつＳＴＡとホットスポットアクセス装置とが同一の周波数帯で動作し、例えば、それら両方が２．４ＧＨｚで動作する場合、ＳＴＡがモバイルＷｉ−Ｆｉ装置５０及びホットスポットアクセス装置を使用してインターネットにアクセスするよう、時分割多元化によって周波数内デュアルチャネルモード又は周波数内コチャネルモードでの動作を保持するように構成される。
【００６２】
第３ユニット５０２３は、アクセスモジュール５０２がモバイルＷｉ−Ｆｉ装置５０の送信出力を減少させる前又は後に、検出モジュール５０１の検出結果が第１チャネルと第２チャネルとの間に干渉が存在しないことを示し、かつＳＴＡとホットスポットアクセス装置とが異なる周波数帯で動作し、例えば、ＳＴＡが２．４ＧＨｚで動作する一方で、ホットスポットアクセス装置が５ＧＨｚで動作する場合、ＳＴＡがモバイルＷｉ−Ｆｉ装置５０及びホットスポットアクセス装置を使用してインターネットにアクセスするよう、時分割多元化によって周波数間デュアルチャネルモードでの動作を保持するように構成される。さらに、第１チャネル及び第２チャネルを保持するためにモバイルＷｉ−Ｆｉ装置５０によって使用される時分割多元化の時分割間隔は、要件、例えば、モバイルＷｉ−Ｆｉ装置５０が第１チャネルを使用してより長時間にわたってＳＴＡとの通信を維持することに従って設定されてよい。
【００６３】
さらに、図６に示されたモバイルＷｉ−Ｆｉ装置５０は、接続モジュール５０３と、チャネル切替えモジュール５０４とを備える。
【００６４】
接続モジュール５０３は、第１チャネルを使用してＳＴＡとの接続を確立し、第２チャネルを使用してホットスポットアクセス装置との接続を確立するように構成される。
【００６５】
チャネル切替えモジュール５０４は、アクセスモジュール５０２がモバイルＷｉ−Ｆｉ装置５０の送信出力を減少させた後に、第１チャネルと第２チャネルとの間に干渉がまだ存在する場合、ＳＴＡがモバイルＷｉ−Ｆｉ装置５０及びホットスポットアクセス装置を使用してインターネットにアクセスすることを再試行するよう、モバイルＷｉ−Ｆｉ装置５０とＳＴＡとの間の第１チャネルを変更するように構成される。
【００６６】
図６に示されたモバイルＷｉ−Ｆｉ装置は、自身の動作中チャネルが通信要件を満たさないことを検出したとき、ＳＴＡがモバイルＷｉ−Ｆｉ装置及びホットスポットアクセス装置を使用してインターネットにアクセスするよう、自身の送信出力を減少させる。それにより、チャネル切替えに起因するネットワーク中断を回避し、ユーザ体験をより良いものとする。
【００６７】
図７を参照すると、図７は、本発明の一実施形態として開示され、かつ本発明のこの実施形態として開示されるデュアルチャネルアクセス方法を実行するために使用される別のモバイルＷｉ−Ｆｉ装置の構成図である。図７に示されたように、モバイルＷｉ−Ｆｉ装置７０は、少なくとも１つのプロセッサ７０１、例えば、ＣＰＵと、少なくとも１つのネットワークインタフェース７０４又は別のユーザインタフェース７０３と、メモリ７０５と、少なくとも１つの通信バス７０２とを備える。通信バス７０２は、これらの構成要素間の接続及び通信を実現するように構成される。選択的に、ユーザインタフェース７０３は、ＵＳＢインタフェース、その他の標準インタフェース、及び有線インタフェースを含んでよい。選択的に、ネットワークポート７０４は、Ｅｔｈｅｒｎｅｔポート、Ｗｉ−Ｆｉ ＳＴＡポート、Ｗｉ−Ｆｉ ＡＰポート、セルラーワイヤレス通信ネットワークポート、及びその他のワイヤレスインタフェースを含んでよい。メモリ７０５は、高速ＲＡＭメモリを含んでよく、不揮発性メモリ、例えば、少なくとも１つのディスクメモリをさらに含んでもよい。選択的に、メモリ７０５は、上記のプロセッサ７０１とは遠く離れて位置する少なくとも１つの記憶装置を含んでもよい。
【００６８】
いくつかの実施形態において、メモリ７０５は、以下の要素、すなわち、実行可能なモジュール、若しくは、データ構造体、又は、それらのサブセット、若しくは、それらの拡張セットを格納する。
【００６９】
オペレーティングシステム７０５１は、さまざまなシステムプログラムを含み、さまざまな基本サービス及びハードウェアベースタスクのプロセスを実現するために使用される。
【００７０】
アプリケーションモジュール７０５２は、例えば、デバイスコントロールサービスプログラム、デバイス認識サービスプログラムなどのさまざまなアプリケーションプログラムを含み、さまざまなアプリケーションサービスを実現するために使用される。
【００７１】
特に、プロセッサ７０１は、メモリ７０５に格納されたプログラムを呼び出して、
第１チャネルと第２チャネルとの間に干渉が存在するか否かを検出する手順であって、ここで、第１チャネルがモバイＷｉ−Ｆｉ装置７０とＳＴＡ（例えば、ＰＣ／ｉＰａｄ）との間のチャネルであり、第２チャネルがモバイＷｉ−Ｆｉ装置７０とホットスポットアクセス装置（例えば、Ｗｉ−Ｆｉ ＡＰ）との間のチャネルである、手順と、
干渉が存在する場合、第１チャネルと第２チャネルとの間に干渉が存在しなくなって、ＳＴＡがモバイルＷｉ−Ｆｉ装置７０及びホットスポットアクセス装置を使用してインターネットにアクセスするよう、モバイルＷｉ−Ｆｉ装置７０の送信出力を減少させる手順とを実行するように構成される。
【００７２】
一実施形態において、第１チャネルと第２チャネルとの間に干渉が存在しなくなるよう、モバイルＷｉ−Ｆｉ装置７０の送信出力を減少させるためにプロセッサ７０１によって使用される特定の手法は、プロセッサ７０１が、第１チャネルと第２チャネルとの間に干渉が存在しなくなるまで、モバイルＷｉ−Ｆｉ装置７０の送信出力を段階的に減少させて、モバイルＷｉ−Ｆｉ装置７０の送信出力を減少させる度に、第１チャネルと第２チャネルとの間に干渉が存在するか否かを検出することである。
【００７３】
一実施形態において、第１チャネルと第２チャネルとの間に干渉が存在しなくなるよう、モバイルＷｉ−Ｆｉ装置７０の送信出力を減少させるためにプロセッサ７０１によって使用される特定の手法は、プロセッサ７０１が、第１チャネルと第２チャネルとの間に干渉が存在しなくなるよう、所定の値に従って、モバイルＷｉ−Ｆｉ装置７０の送信出力を所定の値だけ減少させることである。
【００７４】
一実施形態において、第１チャネルと第２チャネルとの間に干渉が存在するか否かを検出するためにプロセッサ７０１によって使用される特定の手法は、プロセッサ７０１が、第１チャネルと第２チャネルとの間のＳＩＮＲが所定のしきい値（例えば、１）以下であるか否かを検出し、第１チャネルと第２チャネルとの間のＳＩＮＲが所定のしきい値以下である場合、第１チャネルと第２チャネルとの間に干渉が存在しないと決定し、第１チャネルと第２チャネルとの間のＳＩＮＲが所定のしきい値を超える場合、第１チャネルと第２チャネルとの間に干渉が存在すると決定することである。
【００７５】
一実施形態において、プロセッサ７０１がモバイルＷｉ−Ｆｉ装置７０の送信出力を減少させる前又は後に、プロセッサ７０１が第１チャネルと第２チャネルとの間に干渉が存在しないことを検出した場合、ＳＴＡがモバイルＷｉ−Ｆｉ装置７０及びホットスポットアクセス装置を使用してインターネットにアクセスできるようにするためにプロセッサ７０１によって使用される手法は、プロセッサ７０１が、ＳＴＡがモバイルＷｉ−Ｆｉ装置７０及びホットスポットアクセス装置を使用してインターネットにアクセスするよう、時分割多元化によって第１チャネル及び第２チャネルを保持することであってよい。特に、ＳＴＡとホットスポットアクセス装置とが同一の周波数帯で動作し、例えば、それら両方が２．４ＧＨｚで動作する場合、モバイルＷｉ−Ｆｉ装置７０は、ＳＴＡがモバイルＷｉ−Ｆｉ装置７０及びホットスポットアクセス装置を使用してインターネットにアクセスするよう、時分割多元化によって周波数内デュアルチャネルモード又は周波数内コチャネルモードでの動作を保持する。ＳＴＡとホットスポットアクセス装置とが異なる周波数帯で動作し、例えば、ＳＴＡが２．４ＧＨｚで動作する一方で、ホットスポットアクセス装置が５ＧＨｚで動作する場合、モバイルＷｉ−Ｆｉ装置７０は、ＳＴＡがモバイルＷｉ−Ｆｉ装置７０及びホットスポットアクセス装置を使用してインターネットにアクセスするよう、周波数間デュアルチャネルモードでの動作を保持する。さらに、第１チャネル及び第２チャネルを保持するためにモバイルＷｉ−Ｆｉ装置７０によって使用される時分割多元化の時分割間隔は、要件、例えば、モバイルＷｉ−Ｆｉ装置７０が第１チャネルを使用してより長時間にわたってＳＴＡとの通信を維持することに従って設定されてよい。
【００７６】
選択的に、プロセッサ７０１は、第１チャネルを使用してＳＴＡとの接続を確立し、第２チャネルを使用してホットスポットアクセス装置との接続を確立するようにさらに構成される。
【００７７】
選択的に、プロセッサ７０１は、モバイルＷｉ−Ｆｉ装置５０の送信出力を減少させた後に、第１チャネルと第２チャネルとの間に干渉がまだ存在する場合、ＳＴＡがモバイルＷｉ−Ｆｉ装置７０及びホットスポットアクセス装置を使用してインターネットにアクセスすることを再試行するよう、モバイルＷｉ−Ｆｉ装置７０とＳＴＡとの間の第１チャネルを変更するようにさらに構成される。
【００７８】
図７に示されたモバイルＷｉ−Ｆｉ装置は、自身の動作中チャネルが通信要件を満たさないことを検出したとき、ＳＴＡがモバイルＷｉ−Ｆｉ装置及びホットスポットアクセス装置を使用してインターネットにアクセスするよう、自身の送信出力を減少させる。それにより、チャネル切替えに起因するネットワーク中断を回避し、ユーザ体験をより良いものとする。
【００７９】
図２に示されたように、本発明の一実施形態は、ネットワークアクセスシステムをさらに提供する。ネットワークアクセスシステムは、モバイルＷｉ−Ｆｉ装置（すなわち、Ｅ５）と、オペレータＡＰ（例えば、Ｗｉ−Ｆｉ ＡＰ）と、ＳＴＡ（例えば、ＰＣ／ｉＰａｄ）とを含む。モバイルＷｉ−Ｆｉ装置は、図５又は図６に示されたモバイルＷｉ−Ｆｉ装置５０であってよく、又は、図７に示されたモバイルＷｉ−Ｆｉ装置７０であってもよい。そのようなモバイルＷｉ−Ｆｉ装置の構成及び機能については、図５、図６、及び図７に対する先の記述を参照できるので、ここではさらなる説明は行わない。
【００８０】
図２に示されたネットワークアクセスシステムは、自身の動作中チャネルが通信要件を満たさないことを検出したとき、ＳＴＡがモバイルＷｉ−Ｆｉ装置及びホットスポットアクセス装置を使用してインターネットにアクセスするよう、自身の送信出力を減少させる。それにより、チャネル切替えに起因するネットワーク中断を回避し、ユーザ体験をより良いものとする。
【００８１】
実施形態中の方法のすべてのステップ又は一部のステップがハードウェアに関連するプログラム命令によって実施され得ることが、当業者には理解されよう。プログラムは、コンピュータ読み取り可能な記録媒体に格納されてよい。記録媒体には、フラッシュメモリ、リードオンリーメモリ（ＲＯＭ）、ランダムアクセスメモリ（ＲＡＭ）、磁気ディスク、及び光ディスクが含まれてよい。
【００８２】
以上、本発明の実施形態によって提供されるネットワークアクセス方法及びモバイルＷｉ−Ｆｉ装置についての詳細な説明がなされた。この明細書中において、特定の例は、本発明の原理及び実施手法を記述するために用いられ、そのような実施形態の記述は、本発明の手法及び核心となる思想をより理解し易くすることだけを意図する。一方で、当業者は、本発明の思想に基づき、特定の実施手法及び適用範囲に対して修正を加えることができよう。したがって、この明細書の内容を、本発明を限定するものとして解釈してはならない。
【符号の説明】
【００８３】
５０  モバイルＷｉ−Ｆｉ装置
５０１  検出モジュール
５０１１  第１サブモジュール
５０１２  第２サブモジュール
５０２  アクセスモジュール
５０２１  第１ユニット
５０２２  第２ユニット
５０２３  第３ユニット
５０３  接続モジュール
５０４  チャネル切替えモジュール
７０  モバイルＷｉ−Ｆｉ装置
７０１  プロセッサ
７０２  通信バス
７０３  ユーザインタフェース
７０４  ネットワークインタフェース
７０５  メモリ
７０５１  オペレーティングシステム
７０５２  アプリケーションモジュール
【図１】
2015526995.tif 000003
【図２】
2015526995.tif 000004
【図３】
2015526995.tif 000005
【図４】
2015526995.tif 000006
【図５】
2015526995.tif 000007
【図６】
2015526995.tif 000008
【図７】
2015526995.tif 000009
【手続補正書】
【提出日】平成27年1月9日(2015.1.9)
【手続補正１】
【補正対象書類名】明細書
【補正対象項目名】００３２
【補正方法】変更
【補正の内容】
【００３２】
特に、モバイルＷｉ−Ｆｉ装置は、初期動作チャネル（換言すれば、第１チャネル）を選択して、通常通り動作する。ＳＴＡ（例えば、ＰＣ又はスマートフォン）は、第１チャネルを使用してモバイルＷｉ−Ｆｉ装置に接続する。さらに、モバイルＷｉ−Ｆｉ装置は、ホットスポットアクセス装置を使用したインターネットへのアクセスが確立されるよう、使用可能な第三者ホットスポットアクセス装置（例えば、Ｗｉ−Ｆｉ ＡＰ）を発見するための走査を行って、第２チャネルを使用してホットスポットアクセス装置に接続する。次いで、モバイルＷｉ−Ｆｉ装置は、第１チャネルと第２チャネルとの間に干渉が存在するか否か、換言すれば、第１チャネルと第２チャネルとの間の信号強度対干渉プラス雑音比（ＳＩＮＲ）が所定のしきい値以下であるか否かを検出する。ＳＩＮＲが所定のしきい値以下である場合、モバイルＷｉ−Ｆｉ装置は、第１チャネルと第２チャネルとの間に干渉が存在しないと決定し得る。ＳＩＮＲが所定のしきい値を超える場合、モバイルＷｉ−Ｆｉ装置は、第１チャネルと第２チャネルとの間に干渉が存在すると決定し得る。例えば、所定のしきい値は１である。ＳＩＮＲが１以下であり、例えば、有効な信号強度が−５０ｄｂであり、かつ干渉プラス雑音が−７０ｄｂである場合、モバイルＷｉ−Ｆｉ装置は、第１チャネルと第２チャネルとの間に干渉が存在しないと決定し得る。ＳＩＮＲが１を超え、例えば、有効な信号強度が−７０ｄｂであり、かつ干渉プラス雑音が−５０ｄｂである場合、モバイルＷｉ−Ｆｉ装置は、第１チャネルと第２チャネルとの間に干渉が存在すると決定し得る。
【手続補正２】
【補正対象書類名】明細書
【補正対象項目名】００３６
【補正方法】変更
【補正の内容】
【００３６】
図４を参照すると、図４は、本発明の一実施形態による別のネットワークアクセス方法のフロー図を示す。図４に示されたように、このネットワークアクセス方法は、以下のステップを含む。
【手続補正３】
【補正対象書類名】明細書
【補正対象項目名】００４０
【補正方法】変更
【補正の内容】
【００４０】
特に、モバイルＷｉ−Ｆｉ装置は、第１チャネルと第２チャネルとの間の信号強度対干渉プラス雑音比（ＳＩＮＲ）が所定のしきい値以下であるか否かを検出してよい。ＳＩＮＲが所定のしきい値以下である場合、モバイルＷｉ−Ｆｉ装置は、第１チャネルと第２チャネルとの間に干渉が存在しないと決定し得る。ＳＩＮＲが所定のしきい値を超える場合、モバイルＷｉ−Ｆｉ装置は、第１チャネルと第２チャネルとの間に干渉が存在すると決定し得る。選択的に、所定のしきい値は１である。ＳＩＮＲが１以下であり、例えば、有効な信号強度が−５０ｄｂであり、かつ干渉プラス雑音が−７０ｄｂである場合、モバイルＷｉ−Ｆｉ装置は、第１チャネルと第２チャネルとの間に干渉が存在しないと決定し得る。ＳＩＮＲが１を超え、例えば、有効な信号強度が−７０ｄｂであり、かつ干渉プラス雑音が−５０ｄｂである場合、モバイルＷｉ−Ｆｉ装置は、第１チャネルと第２チャネルとの間に干渉が存在すると決定し得る。干渉が検出された場合、このプロセス中のステップＳ４０３に進み、干渉が検出されなかった場合、このプロセス中のステップＳ４０５に進む。
【手続補正４】
【補正対象書類名】明細書
【補正対象項目名】００５０
【補正方法】変更
【補正の内容】
【００５０】
特に、モバイルＷｉ−Ｆｉ装置自身の送信出力を減少させた後に、モバイルＷｉ−Ｆｉ装置の動作中チャネルが通信要件をまだ満たすことができないこと、換言すれば、第１チャネルと第２チャネルとの間に干渉がまだ存在することにより、モバイルＷｉ−Ｆｉ装置は、ＳＴＡがモバイルＷｉ−Ｆｉ装置との新たな接続を開始できるようにし、Ｗｉ−Ｆｉ装置に第１チャネルを変更させる。モバイルＷｉ−Ｆｉ装置は、ステップＳ４０２を再度実行し、第１チャネルと第２チャネルとの間に干渉が存在するか否かを検出して、ＳＴＡがモバイルＷｉ−Ｆｉ装置及びホットスポットアクセス装置を使用してインターネットにアクセスすることを再試行できるようにする。
【手続補正５】
【補正対象書類名】明細書
【補正対象項目名】００５３
【補正方法】変更
【補正の内容】
【００５３】
図５を参照すると、図５は、本発明の一実施形態によるモバイルＷｉ−Ｆｉ装置の概略的な構成図を示す。図５に示されたように、モバイルＷｉ−Ｆｉ装置５０は、検出モジュール５０１と、アクセスモジュール５０２とを備え得る。
【手続補正６】
【補正対象書類名】明細書
【補正対象項目名】００５４
【補正方法】変更
【補正の内容】
【００５４】
検出モジュール５０１は、第１チャネルと第２チャネルとの間に干渉が存在するか否かを検出するように構成される。ここで、第１チャネルは、モバイルＷｉ−Ｆｉ装置５０とＳＴＡとの間のチャネルであり、第２チャネルは、モバイルＷｉ−Ｆｉ装置５０とホットスポットアクセス装置との間のチャネルである。特に、検出モジュール５０１は、第１チャネと第２チャネルとの間のＳＩＮＲを検出することによって、第１チャネルと第２チャネルとの間に干渉が存在するか否かを決定してよい。ＳＩＮＲが所定のしきい値以下である場合、検出モジュール５０１は、第１チャネルと第２チャネルとの間に干渉が存在しないと決定し得る。選択的に、所定のしきい値は１である。ＳＩＮＲが１以下であり、例えば、有効な信号強度が−５０ｄｂであり、かつ干渉プラス雑音が−７０ｄｂである場合、検出モジュール５０１は、第１チャネルと第２チャネルとの間に干渉が存在しないと決定する。ＳＩＮＲが１を超え、例えば、有効な信号強度が−７０ｄｂであり、かつ干渉プラス雑音が−５０ｄｂである場合、検出モジュール５０１は、第１チャネルと第２チャネルとの間に干渉が存在すると決定する。
【手続補正７】
【補正対象書類名】明細書
【補正対象項目名】００６７
【補正方法】変更
【補正の内容】
【００６７】
図７を参照すると、図７は、本発明の一実施形態として開示され、かつ本発明のこの実施形態として開示されるデュアルチャネルネットワークアクセス方法を実行するために使用される別のモバイルＷｉ−Ｆｉ装置の構成図である。図７に示されたように、モバイルＷｉ−Ｆｉ装置７０は、少なくとも１つのプロセッサ７０１、例えば、ＣＰＵと、少なくとも１つのネットワークインタフェース７０４又は別のユーザインタフェース７０３と、メモリ７０５と、少なくとも１つの通信バス７０２とを備える。通信バス７０２は、これらの構成要素間の接続及び通信を実現するように構成される。選択的に、ユーザインタフェース７０３は、ＵＳＢインタフェース、その他の標準インタフェース、及び有線インタフェースを含んでよい。選択的に、ネットワークポート７０４は、Ｅｔｈｅｒｎｅｔポート、Ｗｉ−Ｆｉ ＳＴＡポート、Ｗｉ−Ｆｉ ＡＰポート、セルラーワイヤレス通信ネットワークポート、及びその他のワイヤレスインタフェースを含んでよい。メモリ７０５は、高速ＲＡＭメモリを含んでよく、不揮発性メモリ、例えば、少なくとも１つのディスクメモリをさらに含んでもよい。選択的に、メモリ７０５は、上記のプロセッサ７０１とは遠く離れて位置する少なくとも１つの記憶装置を含んでもよい。
【手続補正８】
【補正対象書類名】明細書
【補正対象項目名】００７７
【補正方法】変更
【補正の内容】
【００７７】
選択的に、プロセッサ７０１は、モバイルＷｉ−Ｆｉ装置７０の送信出力を減少させた後に、第１チャネルと第２チャネルとの間に干渉がまだ存在する場合、ＳＴＡがモバイルＷｉ−Ｆｉ装置７０及びホットスポットアクセス装置を使用してインターネットにアクセスすることを再試行するよう、モバイルＷｉ−Ｆｉ装置７０とＳＴＡとの間の第１チャネルを変更するようにさらに構成される。
【手続補正９】
【補正対象書類名】図面
【補正対象項目名】図６
【補正方法】変更
【補正の内容】
【図６】
2015526995.tif 000010
【国際調査報告】
2015526995.tif 000011
2015526995.tif 000012
2015526995.tif 000013
2015526995.tif 000014